(57)【要約】【課題】ズボンの上端と下端とをはさんで止めるのに適したクリップを有する衣服ハンガーを提供する。【解決手段】フックを頂に備えた山形状の上着掛け部と、該上着掛け部の底辺位置に配置された横棒とを結合し、およそ三角形状に形成してなる衣服ハンガーにおいて、前記横棒に備えられた横棒クリップと、前記上着掛け部の頂付近に備えられた頂クリップとを備える。前記横棒クリップが二つのクリップを離して設けた。前記二つの横棒クリップを連動して操作する保持部をさらに設けた。前記横棒クリップが幅の長い一つのクリップからなる。前記頂クリップが幅の長いものである。前記頂クリップが挟み込む面が、前記フックと横棒とを含む平面とは少し離しておよそ平行に設けられる。【選択図】図１
2005103168.tif 000002
【特許請求の範囲】
【請求項１】
フックを頂に備えた山形状の上着掛け部と、該上着掛け部の底辺位置に配置された横棒とを結合し、およそ三角形状に形成してなる衣服ハンガーにおいて、
前記横棒に備えられた横棒クリップと、
前記上着掛け部の頂付近に備えられた頂クリップと
を備える衣服ハンガー。
【請求項２】
請求項１に記載した衣服ハンガーであって、
前記横棒クリップが二つのクリップを離して設けたものである衣服ハンガー。
【請求項３】
請求項２に記載した衣服ハンガーであって、
前記二つの横棒クリップを連動して操作する保持部をさらに設けたことを特徴とする衣服ハンガー。
【請求項４】
請求項１に記載した衣服ハンガーであって、
前記横棒クリップが幅の長い一つのクリップからなるものである衣服ハンガー。
【請求項５】
請求項１に記載した衣服ハンガーであって、
前記頂クリップが幅の長いものである衣服ハンガー。
【請求項６】
請求項１に記載した衣服ハンガーであって、
前記頂クリップが挟み込む面が、前記フックと横棒とを含む平面とは少し離しておよそ平行に設けられることを特徴とする衣服ハンガー。
【発明の詳細な説明】
【技術分野】
【０００１】
本発明は、上着とズボンとを掛ける衣服ハンガーに関するものである。
【背景技術】
【０００２】
特許文献１には、互いに平行な一対の吊り掛棒を有する吊り掛枠の両側枠中央がハンガー本体の両側下部に回転自在に支承されてなる衣料用ハンガーが開示されている。
特許文献２には、二段式衣服ハンガーが開示されている。フックを頂に備えた山形状の上着掛け部と、２個のクリップを備えた横棒とを結合し、その横棒を底辺位置に配置しておよそ三角形状に形成する。そして、その横棒に屈曲した付加棒の両端部をその付加棒が横棒５を軸にして回転可能になるようにそれぞれ取り付け、その横棒と付加棒の中央部とを平行に配置し、その付加棒の中央部にクリップを２個備え付けるものであった。
【０００３】
これらの二つのハンガーは、いずれも上着を掛けるほかにズボンを２着掛けるための構造を備えるものであった。
【０００４】
特許文献１では、水平方向に二つのズボンを並べて吊り下げる。そのために二組のクリップが水平方向に並べて設けられる。
【０００５】
特許文献２では、上下方向に二つのズボンを並べて吊り下げる。そのために二組のクリップが上下方向に並べて設けられる。
【特許文献１】特開平８−２９９１４８号公報
【特許文献２】特開２０００−２１７６９４号公報
【発明の開示】
【発明が解決しようとする課題】
【０００６】
本発明の発明者は、ズボンを一着掛ける場合に、その上端と下端とをともにはさんで止めるのに、上述の二つの背景技術を使うことは可能であるが、もっと適したクリップの形状や、配置があるに違いないと考えた。そして、鋭意研究努力の結果、それに適した衣服ハンガーを考え出した。本発明が解決しようとする課題は、ズボンの上端と下端とをはさんで止めるのに適したクリップを有する衣服ハンガーを提供することである。
【課題を解決するための手段】
【０００７】
本発明に係る衣服ハンガーは、フックを頂に備えた山形状の上着掛け部と、該上着掛け部の底辺位置に配置された横棒とを結合し、およそ三角形状に形成してなる衣服ハンガーにおいて、前記横棒に備えられた横棒クリップと、前記上着掛け部の頂付近に備えられた頂クリップとを備えることをもっとも主要な特徴とする。
前記横棒クリップが二つのクリップを離して設けたものとできる。その二つの横棒クリップを連動して操作する保持部をさらに設けることもできる。
前記横棒クリップが幅の長い一つのクリップからなるものとすることもできる。
前記頂クリップが幅の長いものとすることができる。
前記頂クリップが挟み込む面が、前記フックと横棒とを含む平面とは少し離しておよそ平行に設けられることが望ましい。
【発明の効果】
【０００８】
本発明の衣服ハンガーは、横棒クリップのほかに頂クリップを設けているから、ズボンなどの上端をまず止めて、次に下端を持ち上げて止めることにより、ズボンを容易に、しかもしわを作らずに二つ折りにして掛けることができるものである。
【発明を実施するための最良の形態】
【０００９】
フックを頂に備えた山形状の上着掛け部と、該上着掛け部の底辺位置に配置された横棒とを結合し、およそ三角形状に形成してなる衣服ハンガーにおいて、前記横棒に備えられた横棒クリップと、前記上着掛け部の頂付近に備えられた頂クリップとを備えることにより、衣服ハンガーを実現した。
【実施例１】
【００１０】
図１は、頂クリップを設けた実施例を示す概念図である。フック２を備えた山形状の上着掛け部３と、該上着掛け部の底辺位置に配置された横棒５とを結合し、およそ三角形状に形成してなる衣服ハンガー、そして、横棒に横棒クリップ４ａ，４ｂを備えることは、従来から知られているが、頂クリップ１を上着掛け部３の頂部分に設けることが特徴となっている。頂クリップ１と横棒クリップ４は、そのとめる部分がいずれも下向きになっている。この衣服ハンガーを用いて衣服をつるすには、まず、ズボンの上端（腰の部分）を折り目がきちんとつくように注意しながら横棒クリップ４ａ，４ｂを用いてはさみとめる。その後、ズボンの下端（すその部分）を折り目に気をつけながら頂クリップ１を用いて挟みとめる。その後、上着掛け部３に上着を掛けて洋服ダンスなどにフック２を用いて掛ける。
【実施例２】
【００１１】
図２は、クリップを連動させる保持部を設けた実施例を示す概念図である。図１に示す実施例と異なるのは、横棒クリップ４ａと４ｂのてこの部分を硬い部材で連結し、さらに延長して保持部６を上着掛け部３に近い場所に設けたことである。これにより、使用者は一方の手で上着掛け部３を持ちながら保持部６をつかむことにより横棒クリップ４ａ，４ｂの双方を開放させてズボンの上端を横棒クリップに挟み込む作業がしやすくなる。
【実施例３】
【００１２】
図３は、幅の長いクリップを用いた実施例を示す概念図である。図３の実施例においては、横棒クリップ４ａ，４ｂを一体として幅長のものとしたので、図２の実施例と同様、ズボンの上端を挟み込む作業がしやすい。使用者は、上着掛け部３を手で挟みながら横棒クリップ４のてこを操作することができる。
【００１３】
横棒クリップ４を幅長のものにするのみならず、頂クリップ１をも幅長にすることがズボンの下端をより広く支えることができるので有利である。しかし、上着掛け部３の形状の制限を受ける。あまり幅を長くして上着掛け部からはみ出ると、上着を掛ける上で支障が出るからである。
【００１４】
頂クリップが挟み込む面と、横棒クリップが挟み込む面（フックと横棒とを含む面）とは、並行であって、少し距離を隔てているのが望ましい。ズボンに余計なしわができるのを防止し、また、通風のスペースを設けるのが好ましいからである。
【実施例４】
【００１５】
図４と図５を参照しつつ、実施例４について説明する。図４は、横棒クリップ４ａと４ｂとを２重クリップとして片手で双方を操作する実施例を示す概念図である。図２に示す実施例と似ているが、図２では２つのクリップが連動して同じタイミングで開閉するのに対して、図４の実施例では、２つのクリップの開閉のタイミングにずれが生じるように２つのクリップを２重に設けてある。その部分断面図を図５に示す。図５に示すように、２つのクリップが内外に重ねて設けられており、４ａのクリップを操作すると４ｂのクリップも開閉されるが、そのタイミングが異なるように調整されているからズボンなどを止める際に片側を止めてからもう片側を止める操作がしやすい。
【００１６】
上記の説明では、ズボンの上端を先に止めて、下端をあとで止めることとしたが、その逆の手順、すなわち、ズボンの下端を先に止めてズボンの上端をあとでとめることとしてもよい。
【００１７】
また、横棒クリップと、頂クリップとの役割を逆転させてもよい。
【００１８】
部材の材質については、プラスチックや金属を使うことできる。たとえば、上着掛け部３とクリップのてこ部は、プラスチックで構成し、フック２や横棒５は金属棒とすることができる。
【産業上の利用可能性】
【００１９】
ズボンを垂らして収納するだけのスペースがない場所でも、ズボンを容易に、しかもしわを作らずに二つ折りにして掛けることができる衣服ハンガーを提供できる。
【図面の簡単な説明】
【００２０】
【図１】頂クリップを設けた実施例を示す概念図である。
【図２】クリップを連動させる保持部を設けた実施例を示す概念図である。
【図３】幅の長いクリップを用いた実施例を示す概念図である。
【図４】横棒クリップ４ａと４ｂとを２重クリップとして片手で双方を操作する実施例を示す概念図である。
【図５】２つのクリップを２重に設けた部分の断面図。
【符号の説明】
【００２１】
１    頂クリップ
２    フック
３    上着掛け部
４，４ａ，４ｂ    横棒クリップ
５    横棒
６    保持部
【図１】
2005103168.tif 000003
【図２】
2005103168.tif 000004
【図３】
2005103168.tif 000005
【図４】
2005103168.tif 000006
【図５】
2005103168.tif 000007